(57)【要約】【課題】印刷面の劣化を抑制するように折り畳める展示用パネルを提供する。【解決手段】  展示用パネル（１）は、展示すべき情報が印刷された表面を有する展示部材（２）と、展示部材を支持するパネル部（３）とを備える。パネル部（３）は、展示状態においては一方の側方から順に並んだ第１〜第３パネル部材（８，９，１０）を有する。第１及び第２パネル部材の側面の間、並びに、第２及び第３パネル部材の側面の間は互いに離間している。第１パネル部材の裏面が第２パネル部材の裏面に当接するように両パネル部材を重ね、次いで、第３パネル部材の裏面が展示部材を介して第１パネル部材の表面に当接するように両パネル部材を重ねる。このとき、第１及び第２軸部材（６，７）が、重ねられた第１〜第３パネル部材の側面と展示部材の湾曲させた第１区間（１１）又は第２区間（１２）の裏面とに包囲されるように配置される。【選択図】図３
2018000874.tif 000002
【特許請求の範囲】
【請求項１】
情報が印刷された表面を有し、可撓性を有するシート状の展示部材と、
前記展示部材の裏面に取り付けられた第１パネル部材と、
前記展示部材の表面が１つの平面を構成するように配置された展示状態において前記第１パネル部材の一方の側方に位置するように、前記展示部材の裏面に取り付けられた第２パネル部材と、
前記展示状態において、前記第２パネル部材に対して前記第１パネル部材とは反対側の側方に位置するように、前記展示部材の裏面に取り付けられた第３パネル部材とを備え、
前記展示部材は、前記第１〜第３パネル部材のいずれにも当接せず、かつ前記展示状態において互いに対向する前記第１パネル部材の側面及び前記第２パネル部材の側面間の領域に対応する位置に延在する第１区間と、前記第１〜第３パネル部材のいずれにも当接せず、かつ前記展示状態において互いに対向する前記第２パネル部材の側面及び前記第３パネル部材の側面間の領域に対応する位置に延在する第２区間とを有し、
前記第１区間の横方向長さは、前記第１及び第２パネル部材の厚さの合計値よりも長く、
前記第２区間の横方向長さは、前記第１〜第３パネル部材の厚さの合計値よりも長いことを特徴とする展示用パネル。
【請求項２】
側面の少なくとも一部に外側に向かって凸となる曲面をそれぞれ有する第１軸部材及び第２軸部材をさらに備え、
前記第１パネル部材の裏面を前記第２パネル部材の裏面に当接させ、かつ前記第３パネル部材の裏面を前記展示部材を介して前記第１パネル部材の表面に当接させるように前記第１〜第３パネル部材を互いに重ねた折り畳み状態において、前記第１軸部材は、前記第１及び第２パネル部材並びに前記第１区間に包囲され、かつその前記曲面において前記第１区間の裏面の少なくとも一部に当接し得るように構成され、前記第２軸部材は、前記第１〜第３パネル部材及び前記第２区間に包囲され、かつその前記曲面において前記第２区間の裏面の少なくとも一部に当接し得るように構成されたことを特徴とする請求項１に記載の展示用パネル。
【請求項３】
前記展示状態において、前記第１及び第２パネル部材の互いに対向する側面の間に取り外し可能に嵌合される第１嵌合部材と、前記第２及び第３パネル部材の互いに対向する側面の間に取り外し可能に嵌合される第２嵌合部材とをさらに備えることを特徴とする請求項１又は２に記載の展示用パネル。
【請求項４】
請求項２に記載の展示用パネルを前記展示状態から折り畳む方法であって、
前記第１パネル部材の裏面が前記第２パネル部材の裏面に当接し、前記第１軸部材が前記第１及び第２パネル部材並びに前記第１区間に包囲され、かつ前記第１軸部材の前記曲面が前記第１区間の裏面の少なくとも一部に当接するように、前記第１パネル部材を前記第２パネル部材に重ねるステップと、
前記第３パネル部材の裏面が前記展示部材を介して前記第１パネル部材の表面に当接し、前記第２軸部材が前記第１〜第３パネル部材及び前記第２区間に包囲され、かつ前記第２軸部材の前記曲面が前記第２区間の裏面の少なくとも一部に当接するように前記第３パネル部材を前記第１及び第２パネル部材に重ねるステップとを備えることを特徴とする方法。
【請求項５】
前記第１パネル部材を前記第２パネル部材に重ねるステップよりも前に実施される、前記第１及び第２パネル部材の互いに対向する側面の間に嵌合された第１嵌合部材を取り外すステップと、
前記第３パネル部材を前記第１及び第２パネル部材に重ねるステップよりも前に実施される、前記第２及び第３パネル部材の互いに対向する側面の間に嵌合された第２嵌合部材を取り外すステップとをさらに備えることを特徴とする請求項４に記載の方法。
【発明の詳細な説明】
【技術分野】
【０００１】
本開示は、折り畳み可能な展示用パネル、及びその折り畳み方法に関する。
【背景技術】
【０００２】
展示会等で使用される展示用パネルには、文字、絵図及び写真等の各種の情報が印刷された紙を板材の表面に貼り付けたものがある。このような展示用パネル、特に大型の展示用パネルは、収納及び運搬に不便であるため、展示会ごとに作成及び解体されることが多い。そこで、展示用パネルを収納及び運搬しやすいように折り畳み、繰り返し使用できるようにする手段が提案されている。
【０００３】
特許文献１には、ヒンジによって折り畳み可能に接続された複数のパネル枠体からなる展示用パネルが記載されている。特許文献２には、屏風状パネルが記載されており、平面状に広げて展示に用いるとき、及び折り畳んで収納するときのそれぞれにおいて、面ファスナーによって個々のパネルが互いに固定されることが記載されている。特許文献３には、横方向に延在する切り込み線において折り畳み可能なパネルが記載されており、パネルの使用時には、左右両端部の近傍に上下方向に延在する２つの切り込み線から左右の両側部を裏側に折り曲げることにより、緯方向の切り込み線でパネルが折れないようすることが記載されている。
【先行技術文献】
【特許文献】
【０００４】
【特許文献１】特開２００７−３７７５４号公報
【特許文献２】特開２０１０−８５５０９号公報
【特許文献３】特開２０１０−９８１３１号公報
【発明の概要】
【発明が解決しようとする課題】
【０００５】
しかしながら、情報が印刷された１枚の紙を複数の板材に貼り付けた展示用パネルに特許文献１〜３の手段を適用すると、紙に折り目が付くため見栄えが落ちるという問題や、印刷面同士が重なってこすれるため印刷面が不鮮明になるという問題があった。
【０００６】
上記問題を鑑み、本発明は、表面に折り目を付けずかつ印刷面同士を重ねないように折り畳むことによって印刷面の劣化を抑制できる展示用パネル及びその折り畳み方法を提供することを目的とする。
【課題を解決するための手段】
【０００７】
本発明の少なくともいくつかの実施形態は、展示用パネル（１）であって、情報が印刷された表面を有し、可撓性を有するシート状の展示部材（２）と、前記展示部材の裏面に取り付けられた第１パネル部材（８）と、前記展示部材の表面が１つの平面を構成するように配置された展示状態において前記第１パネル部材の一方の側方に位置するように、前記展示部材の裏面に取り付けられた第２パネル部材（９）と、前記展示状態において、前記第２パネル部材に対して前記第１パネル部材とは反対側の側方に位置するように、前記展示部材の裏面に取り付けられた第３パネル部材（１０）とを備え、前記展示部材は、前記第１〜第３パネル部材のいずれにも当接せず、かつ前記展示状態において互いに対向する前記第１パネル部材の側面及び前記第２パネル部材の側面間の領域に対応する位置に延在する第１区間（１１）と、前記第１〜第３パネル部材のいずれにも当接せず、かつ前記展示状態において互いに対向する前記第２パネル部材の側面及び前記第３パネル部材の側面間の領域に対応する位置に延在する第２区間（１２）とを有し、前記第１区間の横方向長さは、前記第１及び第２パネル部材の厚さの合計値よりも長く、前記第２区間の横方向長さは、前記第１〜第３パネル部材の厚さの合計値よりも長いことを特徴とする。
【０００８】
この構成によれば、印刷面同士が重ならず、かつ展示部材に折り目が付かないように展示用パネルを折り畳むことができるため、印刷面の劣化を抑制することができる。
【０００９】
本発明の少なくともいくつかの実施形態は、上記構成において、側面の少なくとも一部に外側に向かって凸となる曲面をそれぞれ有する第１軸部材（６）及び第２軸部材（７）をさらに備え、前記第１パネル部材の裏面を前記第２パネル部材の裏面に当接させ、かつ前記第３パネル部材の裏面を前記展示部材を介して前記第１パネル部材の表面に当接させるように前記第１〜第３パネル部材を互いに重ねた折り畳み状態において、前記第１軸部材は、前記第１及び第２パネル部材並びに前記第１区間に包囲され、かつその前記曲面において前記第１区間の裏面の少なくとも一部に当接し得るように構成され、前記第２軸部材は、前記第１〜第３パネル部材及び前記第２区間に包囲され、かつその前記曲面において前記第２区間の裏面の少なくとも一部に当接し得るように構成されたことを特徴とする。
【００１０】
この構成によれば、折り畳み状態における展示部材の湾曲した第１及び第２区間が、第１及び第２軸部材の曲面によって支持されるため、第１及び第２区間に外力が加わっても、その部分が折れ曲がったり破れたりすることが抑制される。
【００１１】
本発明の少なくともいくつかの実施形態は、前記展示状態において、前記第１及び第２パネル部材の互いに対向する側面の間に取り外し可能に嵌合される第１嵌合部材と、前記第２及び第３パネル部材の互いに対向する側面の間に取り外し可能に嵌合される第２嵌合部材とをさらに備えることを特徴とする。
【００１２】
この構成によれば、展示状態における展示用パネルの形状を安定して維持できる。
【００１３】
本発明の少なくともいくつかの実施形態は、上記の２番目の構成の展示用パネルを前記展示状態から折り畳む方法であって、前記第１パネル部材の裏面が前記第２パネル部材の裏面に当接し、前記第１軸部材が前記第１及び第２パネル部材並びに前記第１区間に包囲され、かつ前記第１軸部材の前記曲面が前記第１区間の裏面の少なくとも一部に当接するように、前記第１パネル部材を前記第２パネル部材に重ねるステップと、前記第３パネル部材の裏面が前記展示部材を介して前記第１パネル部材の表面に当接し、前記第２軸部材が前記第１〜第３パネル部材及び前記第２区間に包囲され、かつ前記第２軸部材の前記曲面が前記第２区間の裏面の少なくとも一部に当接するように前記第３パネル部材を前記第１及び第２パネル部材に重ねるステップとを備えることを特徴とする。
【００１４】
この構成によれば、印刷面同士が重ならず、かつ展示部材に折り目が付かないように展示用パネルを折り畳むことができるため、印刷面の劣化を抑制することができ、また、折り畳み状態における展示部材の湾曲した第１及び第２区間が、第１及び第２軸部材の曲面によって支持されるため、第１及び第２区間に外力が加わっても、その部分が折れ曲がったり破れたりすることが抑制されるように、展示用パネルを折り畳むことができる。
【００１５】
本発明の少なくともいくつかの実施形態は、前記第１パネル部材を前記第２パネル部材に重ねるステップよりも前に実施される、前記第１及び第２パネル部材の互いに対向する側面の間に嵌合された第１嵌合部材を取り外すステップと、前記第３パネル部材を前記第１及び第２パネル部材に重ねるステップよりも前に実施される、前記第２及び第３パネル部材の互いに対向する側面の間に嵌合された第２嵌合部材を取り外すステップとをさらに備えることを特徴とする。
【００１６】
この構成によれば、展示状態においては形状が安定していた展示用パネルを折り畳むことができる。
【発明の効果】
【００１７】
本発明によれば、印刷面同士が重ならず、かつ展示部材に折り目が付かないように展示用パネルを折り畳むことができるため、印刷面の劣化を抑制することができる。
【図面の簡単な説明】
【００１８】
【図１】実施形態に係る展示用パネルの展示状態における模式的平面図
【図２】実施形態に係る展示用パネルを展示状態から折り畳み状態に変位させる様子を示す模式的平面図
【図３】実施形態に係る展示用パネルの折り畳み状態における模式的平面図
【発明を実施するための形態】
【００１９】
以下、図面を参照して本発明の実施形態について説明する。図１〜図３は、展示用パネル１の平面図であって、それぞれ、展示状態、展示状態から折り畳み状態への移行、及び折り畳み状態を示す。
【００２０】
展示用パネル１は、展示されるべき情報、すなわち、文字、絵図及び写真等のいずれか１つ以上の情報が表面に印刷された展示部材２と、展示部材２の裏面に取り付けられて展示部材２を支持するとともに、壁や衝立等に取り付けられるパネル部３と、展示状態においてパネル部３の形状を安定させるための第１嵌合部材４及び第２嵌合部材５と、折り畳み状態において展示部材２の破損を防止するための第１軸部材６及び第２軸部材７とを備える。
【００２１】
展示部材２は、紙、布若しくは樹脂又はこれらの複合材料等の可撓性を有するシート状の印刷可能な部材からなる。
【００２２】
パネル部３は、３枚のパネル部材、すなわち、第１パネル部材８、第２パネル部材９及び第３パネル部材１０を含む。第１〜第３パネル部材８，９，１０は、それぞれ、好ましくは、矩形の板形状をなし、発泡スチロール等の樹脂を素材とする。図１に示す展示部材２の表面が１つの平面を構成するように配置された展示状態において、第１〜第３パネル部材８，９，１０は、展示部材２の一方の側部から他方に向かって順に並んでいる（図１の紙面では、左から右に向かって順に、第１パネル部材８、第２パネル部材９、及び第３パネル部材１０が配置されている。以下の説明において、左右の方向は図１の紙面の左右の方向を示す）。第１〜第３パネル部材８，９，１０は、それぞれ、公知の取付手段、例えば、接着剤による貼付や、ピンによる固定等によって、その表面が展示部材２の裏面に当接するように展示部材２に取り付けられている。好ましくは、第１〜第３パネル部材８，９，１０の上下方向高さ及び厚さは、互いに略等しい。また、好ましくは、第１及び第２パネル部材８，９の左右方向長さは、互いに略等しく、第３パネル部材の左右方向長さは、第１及び第２パネル部材８，９よりもわずかに長い。なお、第１〜第３パネル部材８，９，１０は、板形状に代えて枠形状としてもよい。第１〜第３パネル部材８，９，１０の上部には、展示用パネル１を展示場所の壁や衝立等に取り付けるための金具（図示せず）が取り付けられている。
【００２３】
展示状態において、第１パネル部材８の右方の側面と、第２パネル部材９の左方の側面とは、互いに離間して対向している。この離間した空間に裏面が露出した展示部材２の第１区間１１は、第１〜第３パネル部材８，９，１０のいずれにも当接しておらず、第１パネル部材８と第２パネル部材９との離間距離に相当するその左右方向の長さは、第１及び第２パネル部材８，９の厚さの合計値よりも長い。また、展示状態において、第２パネル部材９の右方の側面と、第３パネル部材１０の左方の側面とは、互いに離間して対向している。この離間した空間に裏面が露出した展示部材２の第２区間１２は、第１〜第３パネル部材８，９，１０のいずれにも当接しておらず、第２パネル部材９と第３パネル部材１０との離間距離に相当するその左右方向の長さは、第１〜第３パネル部材８，９，１０の厚さの合計値よりも長く、好ましくは、第１区間１１の長さよりも長い。
【００２４】
第１嵌合部材４は、角柱形状の部材であり、左右方向幅が展示部材２の第１区間１１の左右方向長さに等しく、展示状態において、第１パネル部材８の右方の側面と、第２パネル部材９の左方の側面との間に取り外し可能に嵌合する。好ましくは、その表面（図１において紙面の上方を向いた面）は展示部材２の第１区間１１の裏面に当接する。第１嵌合部材４の上下方向高さ及び厚さは、それぞれ、好ましくは、第１及び第２パネル部材８，９の上下方向高さ及び厚さに略等しい。第１嵌合部材４は、発泡スチロール等の樹脂や木材を素材とすることが好ましい。
【００２５】
第２嵌合部材５は、角柱形状の部材であり、左右方向幅が展示部材２の第２区間１２の左右方向長さに等しく、展示状態において、第２パネル部材９の右方の側面と、第３パネル部材１０の左方の側面との間に取り外し可能に嵌合する。好ましくは、その表面（図１において紙面の上方を向いた面）は展示部材２の第２区間１２の裏面に当接する。第２嵌合部材５の上下方向高さ及び厚さは、それぞれ、好ましくは、第２及び第３パネル部材９，１０の上下方向高さ及び厚さに略等しい。第２嵌合部材５は、発泡スチロール等の樹脂や木材を素材とすることが好ましい。
【００２６】
第１軸部材６は、円筒形状の部材であって、アクリル等の樹脂を素材とすることが好ましい。図３に示すように、展示用パネル１が第１区間１１及び第２区間１２で湾曲するように折り畳まれた折り畳み状態において、第１及び第２パネル部材８，９の側面並びに第１区間１１の裏面によって包囲されるように、第１軸部材６の外周長は、第１及び第２パネル部材８，９の厚さならびに第１区間１１の左右方向長さの合計値よりも小さい。好ましくは、第１軸部材６は、第１区間１１の裏面と、第１及び第２パネル部材８，９の一方又は双方の側面に当接するように外径が設定されている。また、好ましくは、折り畳み状態の第１又は第２パネル部材８，９の表面よりも膨出しないように、第１軸部材６の外径は、第１及び第２パネル部材８，９の厚さの合計値よりも小さい。なお、上述の通り、第３パネル部材１０の左右方向長さは互いに同じ長さである第１及び第２パネル部材８，９よりもわずかに長いことが好ましいが、その差は第１軸部材６の外径と略等しいことがさらに好ましい。このように長さを設定することによって、折り畳み状態において第３パネル部材１０の端部が第１区間１１を一方向から（図３の紙面下方から）覆うことができるため、第１区間に意図しない外力が加わることを抑制できる。
【００２７】
第２軸部材７は、円筒形状の部材であって、アクリル等の樹脂を素材とすることが好ましい。図３に示すように、折り畳み状態において、第１〜第３パネル部材８，９，１０の側面並びに第２区間１２の裏面によって包囲可能となるように、第２軸部材７の外周長は、第１〜第３パネル部材８，９、１０の厚さならびに第１区間１１の左右方向長さの合計値よりも小さい。好ましくは、第２軸部材７は、第２区間１２の裏面と、第１〜第３パネル部材８，９，１０の側面のいずれか１つ又は複数に当接するように外径が設定されている。好ましくは、折り畳み状態の第２又は第３パネル部材９，１０の表面よりも膨出しないように、第２軸部材７の外径は、第１〜第３パネル部材８，９，１０の厚さの合計値よりも小さい。また、好ましくは、第２軸部材７の外径は、第１軸部材６の外径よりも大きい。
【００２８】
第１及び第２軸部材６，７の内部は、中空でなくともよい。また、第１及び第２軸部材６，７の外側面は、円形ではなくともよく、側面の少なくとも一部に外側に向かって凸となる曲面を有していればよい。この場合、折り畳み状態において、その曲面が展示部材２の第１区間１１又は第２区間１２に当接する。
【００２９】
図２を参照して、使用者が展示用パネル１を展示状態から折り畳む方法について説明する。
【００３０】
まず、第１嵌合部材４を第１及び第２パネル部材８，９から取り外す。
【００３１】
次に、展示部材２の第１区間１１の裏面側に第１軸部材６を配置する。次いで、第１区間１１を表面側が凸になるように湾曲させて、第１パネル部材８の裏面を第２パネル部材９の裏面に当接させるように第１パネル部材８を第２パネル部材９に重ね、第１軸部材６を第１及び第２パネル部材８，９の側面並びに第１区間１１の裏面に包囲させる。このとき、第１軸部材６の湾曲した側面を、第１区間１１の裏面の一部に当接するとともに、第１及び第２パネル部材８，９の側面の少なくとも一方に当接させる。これにより、第１区間１１が曲面によって支持されるとともに、第１軸部材６は、第１区間１１と、第１及び第２パネル部材８，９の少なくとも一方の側面との摩擦力により保持される。
【００３２】
次に、第２嵌合部材５を第２及び第３パネル部材９，１０から取り外す。なお、この作業は、第１嵌合部材４を取り外す作業や第１パネル部材８を第２パネル部材９に重ねる作業よりも前に行ってもよい。
【００３３】
次に、展示部材２の第２区間１２の裏面側に第２軸部材７を配置する。次いで、第２区間１２を表面側が凸になるように湾曲させて、第３パネル部材１０の裏面を展示部材２を介して第１パネル部材８の表面に当接させように第３パネル部材１０を第１及び第２パネル部材８，９に重ね、かつ第２軸部材７を第１〜第３パネル部材８，９，１０の側面並びに第２区間１２の裏面に包囲させる。このとき、第２軸部材７の湾曲した側面を、第２区間１２の裏面の一部に当接させるとともに、第１〜第３パネル部材８，９，１０の側面の少なくとも１つに当接させる。これにより、第２区間１２が曲面によって支持されるとともに、第２軸部材７は、第２区間１２と、第１〜第３パネル部材８，９，１０の少なくとも１つの側面との摩擦力により保持される。
【００３４】
このように折り畳むことによって、展示部材２の印刷面である表面同士が重なってこすれることがないため、印刷面が劣化することを抑制できる。また、第１及び第２区間１１，１２は、折られるのではなく、湾曲させられるため、展示部材２に折り目が付かない。さらに、湾曲した第１及び第２区間１１，１２は、折り畳み状態で運搬又は保管しているときに外力を受けても、それぞれ、第１及び第２軸部材６，７に保護されるため、折れ曲がることが抑制される。また、特に、パネル部３の左右方向長さが１．５ｍ程度であれば、折り畳んだときの左右方向長さが０．５ｍ程度になるため、大きな荷室や荷台を有する自動車等の輸送手段を用いずとも、折り畳んだ展示用パネル１をバッグに入れることで人が容易に持ち運ぶことができる。
【００３５】
以上で具体的実施形態の説明を終えるが、本発明は上記実施形態に限定されることなく幅広く変形実施することができる。第１〜第３パネル部材の素材を木材等に変更してもよい。この場合、第３パネル部材の裏面に保護材を塗布又は貼付して、折り畳み状態にしたときに表面の粗い木材によって展示部材の印刷面がこすれないようにすることが好ましい。また、パネル部は、４つ以上のパネル部材を含んでいてもよい。この場合でも、使用される軸部材は２つで足り、左右方向の一方の端部側に配置された第１パネル部材が中心になるようにロール状に折り畳むことによって、印刷面同士がこすれない折り畳み状態にすることができる。第１及び第２嵌合部材は、展示状態における各パネル部材間の距離を一定に保つためのものであるため、左右方向の幅は第１及び第２区間の長さに合わせる必要があるが、上下方向長さや厚さは適宜変更できる。例えば、第１及び第２嵌合部材を、それぞれ上下方向長さの短い２つの部材から構成し、これらを各パネル部材間の上部及び下部に配置してもよい。
【符号の説明】
【００３６】
１：展示用パネル
２：展示部材
３：パネル部
４：第１嵌合部材
５：第２嵌合部材
６：第１軸部材
７：第２軸部材
８：第１パネル部材
９：第２パネル部材
１０：第３パネル部材
１１：第１区間
１２：第２区間
【図１】
2018000874.tif 000003
【図２】
2018000874.tif 000004
【図３】
2018000874.tif 000005